(57)【要約】      （修正有）【課題】ＡＶアンプ装置の例えば５チャンネルのパワーアンプを有効に利用することができるようにすることを目的とする。【解決手段】スピーカ７ＦＬをドライブする第１のアンプ４ＦＬと、スピーカ７ＦＲをドライブする第２のアンプ４ＦＲと、スピーカ７ＲＬをドライブする第３のアンプ４ＲＬと、スピーカ７ＲＲをドライブする第４のアンプ４ＲＲとを有する音声出力装置において、この第３のアンプ４ＲＬの入力側に第１の切換スイッチ１３と、この第４のアンプの入力側に第２の切換スイッチ１４と、第３の切換スイッチ１５と、第４の切換スイッチ１６とをもうけ、２チャンネル音声信号が入力時にこの前方左側スピーカ及びこの前方右側スピーカをＢＴＬ駆動するようにしたものである。【選択図】図１
2006279537.tif 000002
【特許請求の範囲】
【請求項１】
前方左側に配置する前方左側スピーカをドライブする第１のアンプと、
前方右側に配置する前方右側スピーカをドライブする第２のアンプと、
後方左側に配置する後方左側スピーカをドライブする第３のアンプと、
後方右側に配置する後方右側スピーカをドライブする第４のアンプとを有する音声出力装置において、
前記第３のアンプの入力側に後方左側音声信号を供給するのか前方左側音声信号の反転信号供給するのかを切換える第１の切換スイッチと、
前記第４のアンプの入力側に後方右側音声信号を供給するのか前方右側音声信号の反転信号供給するのかを切換える第２の切換スイッチと、
前記第３のアンプの出力信号を前記後方左側スピーカに供給するのか前記前方左側スピーカに供給するのかを切換える第３の切換スイッチと、
前記第４のアンプの出力信号を前記後方右側スピーカに供給するのか前記前方右側スピーカに供給するのかを切換える第４の切換スイッチとをもうけ、
２チャンネル音声信号が入力時に前記前方左側スピーカ及び前記前方右側スピーカをＢＴＬ駆動するようにしたことを特徴とする音声出力装置。
【請求項２】
請求項１記載の音声出力装置において、
前記２チャンネル音声信号はアナログ信号又はデジタル信号であることを特徴とする音声出力装置。
【請求項３】
前方左側に配置するツイーター及びウーファーより成る前方左側スピーカをドライブする第１のアンプと、
前方右側に配置するツイーター及びウーファーより成る前方右側スピーカをドライブする第２のアンプと、
後方左側に配置する後方左側スピーカをドライブする第３のアンプと、
後方右側に配置する後方右側スピーカをドライブする第４のアンプとを有する音声出力装置において、
前記第３のアンプの入力側に後方左側音声信号を供給するのか前方左側音声信号を供給するのかを切換える第１の切換スイッチと、
前記第４のアンプの入力側に後方右側音声信号を供給するのか前方右側音声信号を供給するのかを切換える第２の切換スイッチと、
前記第３のアンプの出力信号を前記後方左側スピーカに供給するのか前記前方左側スピーカに供給するのかを切換える第３の切換スイッチと、
前記第４のアンプの出力信号を前記後方右側スピーカに供給するのか前記前方右側スピーカに供給するのかを切換える第４の切換スイッチとをもうけ、
２チャンネル音声信号が入力時に前記前方左側スピーカ及び前記前方右側スピーカをバイアンプ駆動するようにしたことを特徴とする音声出力装置。
【請求項４】
請求項３記載の音声出力装置において、
前記２チャンネル音声信号はアナログ信号又はデジタル信号いずれでも良いことを特徴とする音声出力装置。
【請求項５】
前方左側に配置するツイーター及びウーファーより成る前方左側スピーカをドライブする第１のアンプと、
前方右側に配置するツイーター及びウーファーより成る前方右側スピーカをドライブする第２のアンプと、
後方左側に配置する後方左側スピーカをドライブする第３のアンプと、
後方右側に配置する後方右側スピーカをドライブする第４のアンプとを有する音声出力装置において、
前記第３のアンプの入力側に後方左側音声信号を供給するのか第１の位相反転回路を介して得た前方左側音声信号の反転信号供給するのかを切換える第１の切換スイッチと、
前記第４のアンプの入力側に後方右側音声信号を供給するのか第２の位相反転回路を介して得た前方右側音声信号の反転信号供給するのかを切換える第２の切換スイッチと、
前記第３のアンプの出力信号を前記後方左側スピーカに供給するのか前記前方左側スピーカに供給するのかを切換える第３の切換スイッチと、
前記第４のアンプの出力信号を前記後方右側スピーカに供給するのか前記前方右側スピーカに供給するのかを切換える第４の切換スイッチとを設けると共に前記第１及び第２の位相反転回路に夫々並列に第１及び第２の接続スイッチを設け、
２チャンネル音声信号が入力時に前記前方左側スピーカ及び前記前方右側スピーカを前記第１及び第２の接続スイッチをオン又はオフすることによりバイアンプ駆動又はＢＴＬ駆動に切換え駆動できるようにしたことを特徴とする音声出力装置。
【発明の詳細な説明】
【技術分野】
【０００１】
本発明は、例えばホームシアターシステムを構成する５チャンネル分のパワーアンプを有するＡＶ（audio visual）アンプ装置に適用して好適な音声出力装置に関する。
【背景技術】
【０００２】
従来、図１０に示す如き、例えばホームシアターシステムを構成する５チャンネル分のパワーアンプを有するＡＶアンプ装置が提案されている（特許文献１参照）。
【０００３】
図１０に示す従来のＡＶアンプ装置につき説明するに、図１０において、１ＤはＤＶＤ（digital versatile disc）の５チャンネルの再生信号又はＣＤ（compact disc）の２チャンネルの再生信号のデジタル音声信号が供給されるデジタル音声信号入力端子を示し、このデジタル音声信号入力端子１Ｄに供給されるデジタル音声信号を復調回路を構成するＤＳＰ（digital signal processor）２に供給する。このＤＳＰより成る復調回路２においては、この復調回路２の出力側に５チャンネルの前方左側音声信号ＦＬ、前方右側音声信号ＦＲ、後方左側音声信号ＲＬ，後方右側音声信号ＲＲ及び前方中央音声信号Ｃを得る如くなされている。
【０００４】
この復調回路２の出力側に得られる前方左側音声信号ＦＬをデジタル信号をアナログ信号に変換するＤ−Ａ変換回路３ＦＬを介して前方左側用のパワーアンプ４ＦＬに供給し、このパワーアンプ４ＦＬの出力信号をスピーカ端子５ＦＬ及び短絡板６Ｌの端子を介してツイーター７ＦＬＴ及びウーファー７ＦＬＷより成る前方左側スピーカ７ＦＬに供給する。
【０００５】
この復調回路２の出力側に得られる前方右側音声信号ＦＲをデジタル信号をアナログ信号に変換するＤ−Ａ変換回路３ＦＲを介して前方右側用のパワーアンプ４ＦＲに供給し、このパワーアンプ４ＦＲの出力信号をスピーカ端子５ＦＲ及び短絡板６Ｒの端子を介してツイーター７ＦＲＴ及びウーファー７ＦＲＷより成る前方右側スピーカ７ＦＲに供給する。
【０００６】
この復調回路２の出力側に得られる後方左側音声信号ＲＬをデジタル信号をアナログ信号に変換するＤ−Ａ変換回路３ＲＬを介して後方左側用のパワーアンプ４ＲＬに供給し、このパワーアンプ４ＲＬの出力信号をスピーカ端子５ＲＬを介して後方左側スピーカ７ＲＬに供給する。
【０００７】
この復調回路２の出力側に得られる後方右側音声信号ＲＲをデジタル信号をアナログ信号に変換するＤ−Ａ変換回路３ＲＲを介して後方右側用のパワーアンプ４ＲＲに供給し、このパワーアンプ４ＲＲの出力信号をスピーカ端子５ＲＲを介して後方右側スピーカ７ＲＲに供給する。
【０００８】
この復調回路２の出力側に得られる前方中央音声信号Ｃをデジタル信号をアナログ信号に変換するＤ−Ａ変換回路３Ｃを介して前方中央用のパワーアンプ４Ｃに供給し、このパワーアンプ４Ｃの出力信号をスピーカ端子５Ｃ介して前方中央スピーカ７Ｃに供給する。
【０００９】
また、図１０に示す従来のＡＶアンプ装置においては、前方左側用のパワーアンプ４ＦＬ及び前方右側用のパワーアンプ４ＦＲの夫々の出力側を接続スイッチ８Ｌ及び８Ｒを介して前方左側用スピーカ端子９ＦＬ及び前方右側用スピーカ端子９ＦＲに接続し、他の前方左側スピーカ及び前方右側スピーカを接続できるようになされている。
【００１０】
この図１０において、スピーカ端子５ＦＬ，５ＦＲ，５ＲＬ，５ＲＲ，５Ｃ，９ＦＬ，９ＦＲのマイナス側は図示しないが全てアンプ内部で大地に接地するごとくする。
【００１１】
また、１ＡＬ及び１ＡＲはアナログの左音声信号及び右音声信号が供給されるアナログ左音声信号入力端子及びアナログ右音声信号入力端子を示し、このアナログ左音声信号入力端子１ＡＬ及びアナログ右音声信号入力端子１ＡＲに供給されるアナログの左音声信号及び右音声信号を夫々前方左側用パワーアンプ４ＦＬ及び前方右側用パワーアンプ４ＦＲの夫々の入力側に供給する。
【００１２】
斯かる図１０に示す如き従来のＡＶアンプ装置においては、アナログ左音声信号入力端子１ＡＬ及びアナログ右音声信号入力端子１ＡＲにアナログの左音声信号及び右音声信号が供給されたときは、夫々前方左側用パワーアンプ４ＦＬ及び前方右側用パワーアンプ４ＦＲを介して前方左側スピーカ７ＦＬ及び前方右側スピーカ７ＦＲに供給され、ステレオ音声を楽しむことができる。
【００１３】
また、デジタル音声信号入力端子１Ｄに例えばＤＶＤ等のデジタルの５チャンネルの再生信号が供給されたときは、復調回路２の出力側に、前方左側音声信号ＦＬ、前方右側音声信号ＦＲ、後方左側音声信号ＲＬ、後方右側音声信号ＲＲ及び前方中央音声信号Ｃが得られ、この復調回路２の出力側にえられる前方左側音声信号ＦＬ、前方右側音声信号ＦＲ、後方左側音声信号ＲＬ、後方右側音声信号ＲＲ及び前方中央音声信号Ｃを夫々Ｄ−Ａ変換回路３ＦＬ，３ＦＲ，３ＲＬ，３ＲＲ及び３Ｃを介してアナログの前方左側音声信号ＦＬ、前方右側音声信号ＦＲ、後方左側音声信号ＲＬ、後方右側音声信号ＲＲ及び前方中央音声信号Ｃを得、これ等をパワーアンプ４ＦＬ，４ＦＲ，４ＲＬ，４ＲＲ及び４Ｃを介して前方左側スピーカ７ＦＬ、前方右側スピーカ７ＦＲ、後方左側スピーカ７ＲＬ、後方右側スピーカ７ＲＲ及び前方中央スピーカ７Ｃに供給し、５チャンネルのホームシアターで音声を楽しむことができる。
【００１４】
また、デジタル音声信号入力端子１Ｄに例えばＣＤ等のデジタルの２チャンネルの再生信号が供給されたときは、復調回路２の出力側に、前方左側音声信号ＦＬ及び前方右側音声信号ＦＲが得られ、この復調回路２の出力側にえられる前方左側音声信号ＦＬ及び前方右側音声信号ＦＲを夫々Ｄ−Ａ変換回路３ＦＬ及び３ＦＲを介してアナログの前方左側音声信号ＦＬ及び前方右側音声信号ＦＲを得、これ等をパワーアンプ４ＦＬ及び４ＦＲを介して前方左側スピーカ７ＦＬ及び前方右側スピーカ７ＦＲに供給し、ステレオ音声を楽しむことができる。
【特許文献１】特開２００４−１５９０３７号公報
【発明の開示】
【発明が解決しようとする課題】
【００１５】
以上述べた如く，ＡＶアンプ装置は例えば５チャンネル分のパワーアンプ４ＦＬ，４ＦＲ，４ＲＬ，４ＲＲ及び４Ｃを搭載しており、各パワーアンプ４ＦＬ，４ＦＲ，４ＲＬ，４ＲＲ及び４Ｃは全て信号毎に独立されている。この為、このＡＶアンプ装置に入力される信号が５チャンネルであれば、当然、全５チャンネルのパワーアンプ４ＦＬ，４ＦＲ，４ＲＬ，４ＲＲ及び４Ｃが機能する。
【００１６】
然しながら入力される信号が２チャンネルのアナログの音声信号又は２チャンネルのデジタルの音声信号のときは、５チャンネルのパワーアンプ４ＦＬ，４ＦＲ，４ＲＬ，４ＲＲ及び４Ｃの中で機能するパワーアンプは２チャンネルパワーアンプ４ＦＬ，４ＦＲのみであり、残りの３チャンネルのパワーアンプ４ＲＬ，４ＲＲ及び４Ｃは機能停止状態となる不都合があった。
【００１７】
本発明は、斯かる点に鑑み、上述ＡＶアンプ装置の例えば５チャンネルのパワーアンプを有効に利用することができるようにすることを目的とする。
【課題を解決するための手段】
【００１８】
本発明音声出力装置は前方左側に配置する前方左側スピーカをドライブする第１のアンプと、前方右側に配置する前方右側スピーカをドライブする第２のアンプと、後方左側に配置する後方左側スピーカをドライブする第３のアンプと、後方右側に配置する後方右側スピーカをドライブする第４のアンプとを有する音声出力装置において、この第３のアンプの入力側に後方左側音声信号を供給するのか前方左側音声信号の反転信号供給するのかを切換える第１の切換スイッチと、この第４のアンプの入力側に後方右側音声信号を供給するのか前方右側音声信号の反転信号供給するのかを切換える第２の切換スイッチと、この第３のアンプの出力信号をこの後方左側スピーカに供給するのかこの前方左側スピーカに供給するのかを切換える第３の切換スイッチと、この第４のアンプの出力信号をこの後方右側スピーカに供給するのかこの前方右側スピーカに供給するのかを切換える第４の切換スイッチとをもうけ、２チャンネル音声信号が入力時にこの前方左側スピーカ及びこの前方右側スピーカをＢＴＬ駆動するようにしたものである。
【００１９】
本発明によれば、２チャンネル音声信号が入力時に、第３及び第４のアンプを使用して前方左側スピーカ及び前方右側スピーカをＢＴＬ駆動するようにしたので、この前方左側スピーカ及び前方右側スピーカに対する駆動能力が理論上で４倍になりＳ／Ｎ感が良くなって音のダイナミズムが高まる。例えば１００ＷのパワーアンプをＢＴＬ駆動すると得られるパワーアンプの出力は４００Ｗとなる。
【００２０】
また、本発明音声出力装置は、前方左側に配置するツイーター及びウーファーより成る前方左側スピーカをドライブする第１のアンプと、前方右側に配置するツイーター及びウーファーより成る前方右側スピーカをドライブする第２のアンプと、後方左側に配置する後方左側スピーカをドライブする第３のアンプと、後方右側に配置する後方右側スピーカをドライブする第４のアンプとを有する音声出力装置において、この第３のアンプの入力側に後方左側音声信号を供給するのか前方左側音声信号を供給するのかを切換える第１の切換スイッチと、この第４のアンプの入力側に後方右側音声信号を供給するのか前方右側音声信号を供給するのかを切換える第２の切換スイッチと、この第３のアンプの出力信号をこの後方左側スピーカに供給するのかこの前方左側スピーカに供給するのかを切換える第３の切換スイッチと、この第４のアンプの出力信号をこの後方右側スピーカに供給するのかこの前方右側スピーカに供給するのかを切換える第４の切換スイッチとをもうけ、２チャンネル音声信号が入力時にこの前方左側スピーカ及びこの前方右側スピーカをバイアンプ駆動するようにしたものである。
【００２１】
本発明によれば、２チャンネル音声信号が入力時に、第３及び第４のアンプを使用して前方左側スピーカ及び前方右側スピーカをバイアンプ駆動（パラレル駆動）するようにしたので、この前方左側スピーカ及び前方右側スピーカに入力されるパワーは総合で２倍となると共にウーファーとツイーターとを全く独立した別々のパワーアンプで駆動するので、混変調歪みの低減が図れる。
【発明の効果】
【００２２】
本発明によれば、２チャンネル音声信号が入力時に、第３及び第４のアンプを有効に利用することができる。
【発明を実施するための最良の形態】
【００２３】
以下、図面を参照して、本発明音声出力装置を実施するための最良の形態の例につき説明する。図１例はバイアンプ駆動及びＢＴＬ駆動の双方を切換えて行えるようにした例を示す。本例につき説明するに図１〜図９において、図１０に対応する部分には同一符号を付して示す。
【００２４】
図１例につき説明するに、図１において、１ＤはＤＶＤ（digital versatile disc）の５チャンネルの再生信号又はＣＤ（compact disc）の２チャンネルの再生信号のデジタル音声信号が供給されるデジタル音声信号入力端子を示し、このデジタル音声信号入力端子１Ｄに供給されるデジタル音声信号を復調回路を構成するＤＳＰ（digital signal processor）２に供給する。このＤＳＰより成る復調回路２においては、この復調回路２の出力側に５チャンネルの前方左側音声信号ＦＬ、前方右側音声信号ＦＲ、後方左側音声信号ＲＬ，後方右側音声信号ＲＲ及び前方中央音声信号Ｃを得る如くなす。
【００２５】
この復調回路２の出力側に得られる前方左側音声信号ＦＬをデジタル信号をアナログ信号に変換するＤ−Ａ変換回路３ＦＬ及びアナログ音声信号入力時にオフとする接続スイッチ１０Ｌを介して前方左側用のパワーアンプ４ＦＬに供給し、このパワーアンプ４ＦＬの出力信号をスピーカ端子５ＦＬ及び短絡板６Ｌの端子を介してツイーター７ＦＬＴ及びウーファー７ＦＬＷより成る前方左側スピーカ７ＦＬに供給する。
【００２６】
この復調回路２の出力側に得られる前方右側音声信号ＦＲをデジタル信号をアナログ信号に変換するＤ−Ａ変換回路３ＦＲ及びアナログ音声信号入力時にオフとする接続スイッチ１０Ｒを介して前方右側用のパワーアンプ４ＦＲに供給し、このパワーアンプ４ＦＲの出力信号をスピーカ端子５ＦＲ及び短絡板６Ｒの端子を介してツイーター７ＦＲＴ及びウーファー７ＦＲＷより成る前方右側スピーカ７ＦＲに供給する。
【００２７】
また、パワーアンプ４ＦＬの入力側を接続スイッチ１１Ｌ及び位相反転回路を構成するインバータ回路１２Ｌの並列回路を介して切換スイッチ１３の一方の固定接点１３ａに接続し、また、パワーアンプ４ＦＲの入力側を接続スイッチ１１Ｒ及び位相反転回路を構成するインバータ回路１２Ｒの並列回路を介して切換スイッチ１４の一方の固定接点１４ａに接続する。この接続スイッチ１１Ｌ及び１１Ｒは後述する如く２チャンネル音声信号入力時でバイアンプ駆動時にオンとされる。
【００２８】
この復調回路２の出力側に得られる後方左側音声信号ＲＬをデジタル信号をアナログ信号に変換するＤ−Ａ変換回路３ＲＬを介して切換スイッチ１３の他方の固定接点１３ｂに供給する。この切換スイッチ１３の可動接点１３ｃに得られる信号を後方左側用のパワーアンプ４ＲＬに供給し、このパワーアンプ４ＲＬの出力信号を切換スイッチ１５の可動接点１５ｃに供給し、この切換スイッチ１５の他方の固定接点１５ｂに得られる信号をスピーカ端子５ＲＬを介して後方左側スピーカ７ＲＬに供給する。また、この切換スイッチ１５の一方の固定接点１５ａに得られる信号をスピーカ端子９ＦＬ及び短絡板６Ｌの端子を介して前方左側スピーカ７ＦＬに供給する。
【００２９】
この復調回路２の出力側に得られる後方右側音声信号ＲＲをデジタル信号をアナログ信号に変換するＤ−Ａ変換回路３ＲＲを介して、切換スイッチ１４の他方の固定接点１４ｂに供給する。この切換スイッチ１４の可動接点１４ｃに得られる信号を後方右側用のパワーアンプ４ＲＲに供給し、このパワーアンプ４ＲＲの出力信号を切換スイッチ１６の可動接点１６ｃに供給し、の切換スイッチ１６の他方の固定接点１６ｂに得られる信号をスピーカ端子５ＲＲを介して後方右側スピーカ７ＲＲに供給する。また、この切換スイッチ１６の一方の固定接点１６ａに得られる信号をスピーカ端子９ＦＲ及び短絡板６Ｒの端子を介して前方左側スピーカ７ＦＲに供給する。
【００３０】
この復調回路２の出力側に得られる前方中央音声信号Ｃをデジタル信号をアナログ信号に変換するＤ−Ａ変換回路３Ｃを介して前方中央用のパワーアンプ４Ｃに供給し、このパワーアンプ４Ｃの出力信号をスピーカ端子５Ｃ介して前方中央スピーカ７Ｃに供給する。
【００３１】
また、本例においては、前方左側用のパワーアンプ４ＦＬ及び前方右側用のパワーアンプ４ＦＲの夫々の出力側を３点切換スイッチ１７及び１８の夫々の第１の固定接点１７ａ及び１８ａに接続し、この３点切換スイッチ１７及び１８の夫々の第２の固定接点１７ｂ及び１８ｂを夫々接地し、この３点切換スイッチ１７及び１８の夫々の第３の固定接点１７ｄ及び１８ｄを浮いた状態とし、この３点切換スイッチ１７及び１８の可動接点１７ｃ及び１８ｃを夫々スピーカ端子９ＦＬ及び９ＦＲに接続する。
【００３２】
この図１において、スピーカ端子５ＦＬ，５ＦＲ，５ＲＬ，５ＲＲ，５Ｃ，９ＦＬ，９ＦＲのマイナス側は図示しないが全てアンプ内部で大地に接地するごとくする。
【００３３】
また、図１において、１ＡＬ及び１ＡＲはアナログの左音声信号及び右音声信号が供給されるアナログ左音声信号入力端子及びアナログ右音声信号入力端子を示し、このアナログ左音声信号入力端子１ＡＬ及びアナログ右音声信号入力端子１ＡＲに供給されるアナログの左音声信号及び右音声信号を夫々前方左側用パワーアンプ４ＦＬ及び前方右側用パワーアンプ４ＦＲの夫々の入力側に供給する。
【００３４】
また、本例においては、マイコン１９により、接続スイッチ１０Ｌ，１０Ｒ、切換スイッチ１３，１４，１５及び１６等を後述する如く制御する。
【００３５】
次に、図２〜図５を参照して、図１例が２チャンネル音声信号が入力時に前方左側スピーカ７ＦＬ及び前方右側スピーカ７ＦＲをＢＴＬ（Bridged Transformer Less）駆動する場合につき説明する。
【００３６】
この場合、図２に示す如く短絡板６Ｌの２つの正端子＋同志を短絡すると共に２つの負端子−同志を短絡し、正端子＋を前方左側スピーカ７ＦＬを構成するツイーター７ＦＬＴ及びウーファー７ＦＬＷの夫々の正端子＋に接続し、この負端子−をツイーター７ＦＬＴ及びウーファー７ＦＬＷの夫々の負端子−に接続する。また、スピーカ端子５ＦＬの正端子＋をこの短絡板６Ｌの正端子＋に接続し、スピーカ端子９ＦＬの正端子＋をこの短絡板６Ｌの負端子−に接続し、このスピーカ端子５ＦＬ及び９ＦＬの負端子−を接地する。
【００３７】
この場合、図２に示す如く短絡板６Ｒの２つの正端子＋同志を短絡すると共に２つの負端子−同志を短絡し、正端子＋を前方右側スピーカ７ＦＲを構成するツイーター７ＦＲＴ及びウーファー７ＦＬＷの夫々の正端子＋に接続し、この負端子−をツイーター７ＦＬＴ及びウーファー７ＦＲＷの夫々の負端子−に接続する。また、スピーカ端子５ＦＲの正端子＋をこの短絡板６Ｒの正端子＋に接続し、スピーカ端子９ＦＲの正端子＋をこの短絡板６Ｒの負端子−に接続し、このスピーカ端子５ＦＲ及び９ＦＲの負端子−を接地する。
【００３８】
この場合において、アナログ左音声信号入力端子１ＡＬ及びアナログ右音声信号入力端子１ＡＲにアナログの左音声信号及び右音声信号が供給されたときは、図３に示す如く、接続スイッチ１０Ｌ，１０Ｒ，１１Ｌ及び１１Ｒは夫々オフとし、切換スイッチ１３，１４，１５及び１６の夫々の可動接点１３ｃ，１４ｃ，１５ｃ及び１６ｃを夫々一方の固定接点１３ａ，１４ａ，１５ａ及び１６ａに接続し、３点切換スイッチ１７及び１８の可動接点１７ｃ及び１８ｃを浮いた状態の第３の固定接点１７ｄ及び１８ｄに接続する。
【００３９】
このときは、アナログ左音声信号入力端子１ＡＬに供給された左音声信号がパワーアンプ４ＦＬ及びスピーカ端子５ＦＬを介して短絡板６Ｌの正端子＋に供給されると共にこの左音声信号が位相反転用のインバータ回路１２Ｌ、後方左側用のパワーアンプ４ＲＬ及びスピーカ端子９ＦＬを介して短絡板６Ｌの負端子−供給され、前方左側スピーカ７ＦＬを構成するツイーター７ＦＬＴ及びウーファー７ＦＬＷをＢＴＬ駆動する。
【００４０】
また、このときは、アナログ右音声信号入力端子１ＡＲに供給された右音声信号がパワーアンプ４ＦＲ及びスピーカ端子５ＦＲを介して短絡板６Ｒの正端子＋に供給されると共にこの右音声信号が位相反転用のインバータ回路１２Ｒ、後方右側用のパワーアンプ４ＲＲ及びスピーカ端子９ＦＲを介して短絡板６Ｒの負端子−供給され、前方右側スピーカ７ＦＲを構成するツイーター７ＦＲＴ及びウーファー７ＦＲＷをＢＴＬ駆動する。
【００４１】
本例によれば、２チャンネルのアナログ左音声信号及び右音声信号の入力時に、後方左側用パワーアンプ４ＲＬ及び後方右側用パワーアンプ４ＲＲを使用して前方左側スピーカ７ＦＬ及び前方右側スピーカ７ＦＲをＢＴＬ駆動するようにしたので、この前方左側スピーカ７ＦＬ及び前方右側スピーカ７ＦＲに対する駆動能力が理論上で４倍になりＳ／Ｎ感が良くなって音のダイナミズムが高まる。例えば１００ＷのパワーアンプをＢＴＬ駆動すると得られるパワーアンプの出力は４００Ｗとなる。
【００４２】
従って、本例によれば、２チャンネルのアナログ左音声信号及び右音声信号の入力時に、後方左側用パワーアンプ４ＲＬ及び後方右側用パワーアンプ４ＲＲを有効に利用することができる。
【００４３】
次に、この場合において、デジタル音声信号入力端子１ＤにＤＶＤの５チャンネルデジタル音声信号が供給されたときは、図４に示す如く接続スイッチ１０Ｌ及び１０Ｒをオンとし、接続スイッチ１１Ｌ及び１１Ｒをオフとし、切換スイッチ１３，１４，１５及び１６の夫々の可動接点１３ｃ，１４ｃ，１５ｃ及び１６ｃを夫々他方の固定接点１３ｂ，１４ｂ，１５ｂ及び１６ｂに接続し、３点切換スイッチ１７及び１８の可動接点１７ｃ及び１８ｃを第２の固定接点１７ｂ及び１８ｂに接続し、スピーカ端子９ＦＬ及び９ＦＲの夫々の正端子＋を夫々接地する。
【００４４】
このときは、復調回路２の出力側に、前方左側音声信号ＦＬ、前方右側音声信号ＦＲ、後方左側音声信号ＲＬ，後方右側音声信号ＲＲ及び前方中央音声信号Ｃが得られ、この復調回路２の出力側にえられる前方左側音声信号ＦＬ、前方右側音声信号ＦＲ、後方左側音声信号ＲＬ，後方右側音声信号ＲＲ及び前方中央音声信号Ｃを夫々Ｄ−Ａ変換回路３ＦＬ，３ＦＲ，３ＲＬ，３ＲＲ及び３Ｃを介してアナログの前方左側音声信号ＦＬ、前方右側音声信号ＦＲ、後方左側音声信号ＲＬ、後方右側音声信号ＲＲ及び前方中央音声信号Ｃを得、これ等をパワーアンプ４ＦＬ，４ＦＲ，４ＲＬ，４ＲＲ及び４Ｃを介して前方左側スピーカ７ＦＬ、前方右側スピーカ７ＦＲ、後方左側スピーカ７ＲＬ、後方右側スピーカ７ＲＲ及び前方中央スピーカ７Ｃに供給し、５チャンネルのホームシアターで音声を楽しむことができる。
【００４５】
また、デジタル音声信号入力端子１Ｄに例えばＣＤ等のデジタルの２チャンネルの再生信号が供給されたときは、図５に示す如く、接続スイッチ１０Ｌ及び１０Ｒをオンとし、接続スイッチ１１Ｌ及び１１Ｒをオフとし、切換スイッチ１３，１４，１５及び１６の夫々の可動接点１３ｃ，１４ｃ，１５ｃ及び１６ｃを夫々一方の固定接点１３ａ，１４ａ，１５ａ及び１６ａに接続し、３点切換スイッチ１７及び１８の可動接点１７ｃ及び１８ｃを第３の固定接点１７ｄ及び１８ｄに接続する。
【００４６】
このときは、復調回路２の出力側に前方左側音声信号ＦＬ及び前方右側音声信号ＦＲの２チャンネルのデジタルの音声信号が得られ、この前方左側音声信号ＦＬがＤ−Ａ変換回路３ＦＬ、パワーアンプ４ＦＬ及びスピーカ端子５ＦＬを介して短絡板６Ｌの正端子＋に供給されると共にこのＤ−Ａ変換回路３ＦＬでアナログ信号に変換された前方左側音声信号ＦＬが位相反転用のインバータ回路１２Ｌ、後方左側用のパワーアンプ４ＲＬ及びスピーカ端子９ＦＬを介して短絡板６Ｌの負端子−供給され、前方左側スピーカ７ＦＬを構成するツイーター７ＦＬＴ及びウーファー７ＦＬＷをＢＴＬ駆動する。
【００４７】
また、このときは、復調回路２の出力側に得られる前方右側音声信号ＦＲがＤ−Ａ変換回路３ＦＲ、パワーアンプ４ＦＲ及びスピーカ端子５ＦＲを介して短絡板６Ｒの正端子＋に供給されると共にこのＤ−Ａ変換回路３ＦＲでアナログ信号に変換された前方右側音声信号ＦＲが位相反転用のインバータ回路１２Ｒ、後方右側用のパワーアンプ４ＲＲ及びスピーカ端子９ＦＲを介して短絡板６Ｒの負端子−供給され、前方右側スピーカ７ＦＲを構成するツイーター７ＦＲＴ及びウーファー７ＦＲＷをＢＴＬ駆動する。
【００４８】
本例によれば、２チャンネルのデジタルの音声信号の入力時に、後方左側用パワーアンプ４ＲＬ及び後方右側用パワーアンプ４ＲＲを使用して前方左側スピーカ７ＦＬ及び前方右側スピーカ７ＦＲをＢＴＬ駆動するようにしたので、この前方左側スピーカ７ＦＬ及び前方右側スピーカ７ＦＲに対する駆動能力が理論上で４倍になりＳ／Ｎ感が良くなって音のダイナミズムが高まる。例えば１００ＷのパワーアンプをＢＴＬ駆動すると得られるパワーアンプの出力は４００Ｗとなる。
【００４９】
従って、本例によれば、２チャンネルのデジタルの音声信号の入力時に、後方左側用パワーアンプ４ＲＬ及び後方右側用パワーアンプ４ＲＲを有効に利用することができる。
【００５０】
尚、２チャンネル音声信号が入力時に前方左側スピーカ７ＦＬ及び前方右側スピーカ７ＦＲをＢＴＬ駆動するだけとするようにしたときには、図１例の接続スイッチ１１Ｌ，１１Ｒ，３点切換スイッチ１７及び１８の夫々の第１の固定接点１７ａ及び１８ａ等は不要である。
【００５１】
次に図６〜図９を参照して、図１例が２チャンネル音声信号が入力時に前方左側スピーカ７ＦＬ及び前方右側スピーカ７ＦＲをバイアンプ駆動（パラレル駆動）する場合につき説明する。
【００５２】
この場合、図６に示す如く、スピーカ端子５ＦＬの正端子＋及び負端子−を前方左側スピーカ７ＦＬを構成するウーファー７ＦＬＷの正端子＋及び負端子−に接続し、スピーカ端子９ＦＬの正端子＋及び負端子−を前方左側スピーカ７ＦＬを構成するツイーター７ＦＬＴの正端子＋及び負端子−に接続する。
【００５３】
また、図６に示す如く、スピーカ端子５ＦＲの正端子＋及び負端子−を前方右側スピーカ７ＦＲを構成するウーファー７ＦＲＷの正端子＋及び負端子−に接続し、スピーカ端子９ＦＲの正端子＋及び負端子−を前方左側スピーカ７ＦＲを構成するツイーター７ＦＲＴの正端子＋及び負端子−に接続する。
【００５４】
また、スピーカ端子５ＦＬ，５ＦＲ，９ＦＬ及び９ＦＲの夫々の負端子−を接地する。
【００５５】
この場合において、アナログ左音声信号入力端子１ＡＬ及びアナログ右音声信号入力端子１ＡＲにアナログの左音声信号及び右音声信号が供給されたときは、図７に示す如く、接続スイッチ１０Ｌ，１０Ｒは夫々オフとし、接続スイッチ１１Ｌ，１１Ｒは夫々オンとし、切換スイッチ１３，１４，１５及び１６の夫々の可動接点１３ｃ，１４ｃ，１５ｃ及び１６ｃを夫々一方の固定接点１３ａ，１４ａ，１５ａ及び１６ａに接続し、３点切換スイッチ１７及び１８の可動接点１７ｃ及び１８ｃを浮いた状態の第３の固定接点１７ｄ及び１８ｄに接続する。
【００５６】
このときは、アナログ左音声信号入力端子１ＡＬに供給された左音声信号がパワーアンプ４ＦＬ及びスピーカ端子５ＦＬの正端子＋を介してウーファー７ＦＬＷの正端子＋に供給されると共にこの左音声信号が接続スイッチ１１Ｌ、後方左側用のパワーアンプ４ＲＬ及びスピーカ端子９ＦＬの正端子＋を介してツイーター７ＦＬＴの正端子＋に供給され、ツイーター７ＦＲＴ及びウーファー７ＦＲＷの負端子−は夫々接地され、前方左側スピーカ７ＦＬを構成するツイーター７ＦＬＴ及びウーファー７ＦＬＷをバイアンプ駆動する。
【００５７】
また、このときは、アナログ右音声信号入力端子１ＡＲに供給された右音声信号がパワーアンプ４ＦＲ及びスピーカ端子５ＦＲの正端子＋を介してウーファー７ＦＲＷの正端子＋に供給されると共にこの右音声信号が接続スイッチ１１Ｒ、後方右側用のパワーアンプ４ＲＲ及びスピーカ端子９ＦＲの正端子＋を介してツイーター７ＦＲＴの正端子＋に供給され、ツイーター７ＦＲＴ及びウーファー７ＦＲＷの負端子−は夫々接地され、前方右側スピーカ７ＦＲを構成するツイーター７ＦＲＴ及びウーファー７ＦＲＷをバイアンプ駆動する。
【００５８】
本例によれば、２チャンネルのアナログ左音声信号及び右音声信号の入力時に、後方左側用パワーアンプ４ＲＬ及び後方右側用パワーアンプ４ＲＲを使用して前方左側スピーカ７ＦＬ及び前方右側スピーカ７ＦＲをバイアンプ駆動するようにしたので、この前方左側スピーカ７ＦＬ及び前方右側スピーカ７ＦＲに入力されるパワーは総合で２倍となると共にウーファー７ＦＬＷ及び７ＦＲＷとツイーター７ＦＬＴ及び７ＦＲＴとを全く独立した別々のパワーアンプで駆動するので、混変調歪みの低減が図れる。
【００５９】
従って、本例によれば、２チャンネルのアナログ左音声信号及び右音声信号の入力時に、後方左側用パワーアンプ４ＲＬ及び後方右側用パワーアンプ４ＲＲを有効に利用することができる。
【００６０】
次に、この場合において、デジタル音声信号入力端子１ＤにＤＶＤの５チャンネルデジタル音声信号が供給されたときは、図８に示す如く接続スイッチ１０Ｌ及び１０Ｒをオンとし、接続スイッチ１１Ｌ及び１１Ｒをオフとし、切換スイッチ１３，１４，１５及び１６の夫々の可動接点１３ｃ，１４ｃ，１５ｃ及び１６ｃを夫々他方の固定接点１３ｂ，１４ｂ，１５ｂ及び１６ｂに接続し、３点切換スイッチ１７及び１８の可動接点１７ｃ及び１８ｃを第１の固定接点１７ａ及び１８ａに接続する。
【００６１】
このときは、復調回路２の出力側に、前方左側音声信号ＦＬ、前方右側音声信号ＦＲ、後方左側音声信号ＲＬ、後方右側音声信号ＲＲ及び前方中央音声信号Ｃが得られ、この復調回路２の出力側にえられる前方左側音声信号ＦＬ、前方右側音声信号ＦＲ、後方左側音声信号ＲＬ、後方右側音声信号ＲＲ及び前方中央音声信号Ｃを夫々Ｄ−Ａ変換回路３ＦＬ，３ＦＲ，３ＲＬ，３ＲＲ及び３Ｃを介してアナログの前方左側音声信号ＦＬ、前方右側音声信号ＦＲ、後方左側音声信号ＲＬ、後方右側音声信号ＲＲ及び前方中央音声信号Ｃを得、これ等をパワーアンプ４ＦＬ，４ＦＲ，４ＲＬ，４ＲＲ及び４Ｃに供給する。
【００６２】
本例においては、パワーアンプ４ＦＬの出力信号をスピーカ端子５ＦＬを介して前方左側スピーカ７ＦＬを構成するウーファー７ＦＬＷに供給すると共にこのパワーアンプ４ＦＬの出力信号をスピーカ端子９ＦＬを介して前方左側スピーカ７ＦＬを構成するツイーター７ＦＬＴに供給し、パワーアンプ４ＦＲの出力信号をスピーカ端子５ＦＲを介して前方右側スピーカ７ＦＲを構成するウーファー７ＦＲＷに供給すると共にこのパワーアンプ４ＦＲの出力信号をスピーカ端子９ＦＲを介して前方左側スピーカ７ＦＲを構成するツイーター７ＦＲＴに供給し、パワーアンプ４ＲＬ，４ＲＲ及び４ｃの出力信号を、後方左側スピーカ７ＲＬ、後方右側スピーカ７ＲＲ及び前方中央スピーカ７Ｃに供給し、５チャンネルのホームシアターで音声を楽しむことができる。
【００６３】
また、デジタル音声信号入力端子１Ｄに例えばＣＤ等のデジタルの２チャンネルの再生信号が供給されたときは、図５に示す如く、接続スイッチ１０Ｌ及び１０Ｒをオンとし、接続スイッチ１１Ｌ及び１１Ｒをオフとし、切換スイッチ１３，１４，１５及び１６の夫々の可動接点１３ｃ，１４ｃ，１５ｃ及び１６ｃを夫々一方の固定接点１３ａ，１４ａ，１５ａ及び１６ａに接続し、３点切換スイッチ１７及び１８の可動接点１７ｃ及び１８ｃを浮いた状態にある第３の固定接点１７ｄ及び１８ｄに接続する。
【００６４】
このときは、復調回路２の出力側に前方左側音声信号ＦＬ及び前方右側音声信号ＦＲの２チャンネルのデジタルの音声信号が得られ、この前方左側音声信号ＦＬがＤ−Ａ変換回路３ＦＬ、パワーアンプ４ＦＬ及びスピーカ端子５ＦＬの正端子＋を介してウーファー７ＦＬＷの正端子＋に供給されると共にこのＤ−Ａ変換回路３ＦＬでアナログ信号に変換された前方左側音声信号ＦＬが接続スイッチ１１Ｌ、後方右側用のパワーアンプ４ＲＬ及びスピーカ端子９ＦＬの正端子＋を介してツイーター７ＦＬＴの正端子＋に供給され、ツイーター７ＦＲＴ及びウーファー７ＦＲＷの負端子−は夫々接地され、前方左側スピーカ７ＦＬを構成するツイーター７ＦＬＴ及びウーファー７ＦＬＷをバイアンプ駆動する。
【００６５】
また、このときは、復調回路２の出力側に得られる前方右側音声信号ＦＲがＤ−Ａ変換回路３ＦＲ、パワーアンプ４ＦＲ及びスピーカ端子５ＦＲの正端子＋を介してウーファー７ＦＲＷの正端子＋に供給されると共にこのＤ−Ａ変換回路３ＦＲでアナログ信号に変換された前方右側音声信号ＦＲが接続スイッチ１１Ｒ、後方右側用のパワーアンプ４ＲＲ及びスピーカ端子９ＦＲの正端子＋を介してツイーター７ＦＲＴの正端子＋に供給され、ツイーター７ＦＲＴ及びウーファー７ＦＲＷの負端子−は夫々接地され、前方右側スピーカ７ＦＲを構成するツイーター７ＦＲＴ及びウーファー７ＦＲＷをバイアンプ駆動する。
【００６６】
本例によれば、２チャンネルのデジタルの音声信号の入力時に、後方左側用パワーアンプ４ＲＬ及び後方右側用パワーアンプ４ＲＲを使用して前方左側スピーカ７ＦＬ及び前方右側スピーカ７ＦＲをバイアンプ駆動するようにしたので、この前方左側スピーカ７ＦＬ及び前方右側スピーカ７ＦＲに入力されるパワーは総合で２倍となると共にウーファー７ＦＬＷ及び７ＦＲＷとツイーター７ＦＬＴ及び７ＦＲＴとを全く独立した別々のパワーアンプで駆動するので、混変調歪みの低減が図れる。
【００６７】
従って、本例によれば、２チャンネルのデジタルの音声信号の入力時に、後方左側用パワーアンプ４ＲＬ及び後方右側用パワーアンプ４ＲＲを有効に利用することができる。
【００６８】
尚、図１例は２チャンネル音声信号が入力時に前方左側スピーカ７ＦＬ及び前方右側スピーカ７ＦＲをＢＴＬ駆動及びバイアンプ駆動することができるが、この図１例でバイアンプ駆動するだけとするようにしたときには、図１例の位相反転用のインバータ回路１２Ｌ，１２Ｒ，３点切換スイッチ１７及び１８の夫々の第２の固定接点１７ｂ及び１８ｂ等は不要である。
【００６９】
また、本発明は上述例に限ることなく、本発明の要旨を逸脱することなく、その他種々の構成が採り得ることは勿論である。
【図面の簡単な説明】
【００７０】
【図１】本発明音声出力装置を実施するための最良の形態の例を示す構成図である。
【図２】本発明の説明に供する要部の例の構成図である。
【図３】図１の説明に供する構成図である。
【図４】図１の説明に供する構成図である。
【図５】図１の説明に供する構成図である。
【図６】本発明の説明に供する要部の例の構成図である。
【図７】図１の説明に供する構成図である。
【図８】図１の説明に供する構成図である。
【図９】図１の説明に供する構成図である。
【図１０】従来のＡＶアンプ装置の例を示す構成図である。
【符号の説明】
【００７１】
１ＡＬ，１ＡＲ…アナログ音声信号入力端子、１Ｄ…デジタル音声信号入力端子、２…復調回路、３ＦＬ，３ＦＲ，３ＲＬ，３ＲＲ，３Ｃ…デジタル−アナログ変換回路、４ＦＬ，４ＦＲ，４ＲＬ，４ＲＲ，４Ｃ…パワーアンプ、５ＦＬ，５ＦＲ，５ＲＬ，５ＲＲ，５Ｃ，９ＦＬ，９ＦＲ…スピーカ端子、６Ｌ，６Ｒ…短絡板、７ＦＬ…前方左側スピーカ、７ＦＬＴ，７ＦＲＴ…ツイーター、７ＦＬＷ，７ＦＲＷ…ウーファー、７ＦＲ…前方右側スピーカ、１０Ｌ，１０Ｒ，１１Ｌ，１１Ｒ…接続スイッチ、１２Ｌ，１２Ｒ…インバータ回路、１３，１４，１５，１６…切換スイッチ、１７，１８…３点切換スイッチ、１９…マイコン
【図１】
2006279537.tif 000003
【図２】
2006279537.tif 000004
【図３】
2006279537.tif 000005
【図４】
2006279537.tif 000006
【図５】
2006279537.tif 000007
【図６】
2006279537.tif 000008
【図７】
2006279537.tif 000009
【図８】
2006279537.tif 000010
【図９】
2006279537.tif 000011
【図１０】
2006279537.tif 000012